(57)【要約】【課題】熱転写印画装置で識別情報が取得できると共に、製造時に使用する版の種類に対して多くの識別情報の表現を可能にする熱転写シートを提供する。【解決手段】熱転写シート１０は、基材１と、基材１の一方の面に設けられた染料層３と、基材１と染料層３との間に設けられた染料プライマー層２と、基材１の他方の面に設けられた背面層６と、基材１と背面層６との間に設けられた背面プライマー層５と、を有する。染料プライマー層２、背面プライマー層５及び背面層６は、不可視光線吸収材料を含有すると共に、それぞれ凹パターン又は凸パターンが設けられている。【選択図】図２
2019126980.tif 000002
【特許請求の範囲】
【請求項１】
サーマルヘッド及びプラテンロールを有し、基材の一方の面に染料層が設けられた熱転写シートと印画紙とを重ね合わせて、前記サーマルヘッドと前記プラテンロールとの間を搬送させるとともに、前記サーマルヘッドが前記熱転写シートを加熱して染料を転写し、前記印画紙に画像を形成する熱転写印画装置であって、
前記熱転写シートに不可視光線を照射し、前記熱転写シートからの光を受光し、前記熱転写シートを構成する複数の層のうち、前記基材と前記染料層との間及び前記基材の他方の面の少なくともいずれか一方に位置し不可視光線吸収材料を含有する少なくとも１層に設けられた凹パターン又は凸パターンによる受光強度の変化を検出するセンサと、
熱転写シートの品種と、品種毎の受光強度の変化パターンとを対応付けたテーブルを格納する記憶部と、
前記テーブルを参照し、前記センサの検出結果から、前記供給部が供給する熱転写シートの品種を識別する識別部と、
を備える熱転写印画装置。
【請求項２】
前記センサは、紫外線を照射する光源と、前記熱転写シートで反射する紫外線又は透過する紫外線を受光する受光部を有することを特徴とする請求項１に記載の熱転写印画装置。
【請求項３】
前記センサは、前記熱転写シートで発せられる蛍光を受光する蛍光受光部を有することを特徴とする請求項２に記載の熱転写印画装置。
【請求項４】
前記センサは、赤外線を照射する光源と、前記熱転写シートで反射する赤外線又は透過する赤外線を受光する受光部を有することを特徴とする請求項１乃至３のいずれか一項に記載の熱転写印画装置。
【請求項５】
前記熱転写シートには複数色の染料層が間隔を空けて設けられており、
前記センサは、染料層の間の領域に不可視光線を照射し、受光強度の変化を検出することを特徴とする請求項１乃至４のいずれか一項に記載の熱転写印画装置。
【請求項６】
前記テーブルには、熱転写シートの品種毎の印画条件が対応付けられており、
前記識別部が識別した熱転写シートの品種に応じた印画条件で印画処理を行うことを特徴とする請求項１乃至５のいずれかに記載の熱転写印画装置。
【請求項７】
基材と、前記基材の一方の面に設けられた染料層と、前記基材と前記染料層との間及び前記基材の他方の面の少なくともいずれか一方に位置し、不可視光線吸収材料を含有する層とが積層され、
前記不可視光線吸収材料を含有する層には、凹パターン又は前記不可視光線吸収材料を含有する層と同一の材料からなる凸パターンが設けられていることを特徴とする熱転写シート。
【請求項８】
前記不可視光線吸収材料を含有する層は、第１の層及び第２の層を含み、前記第１の層に含有されている不可視光線吸収材料は、前記第２の層に含有されている不可視光線吸収材料とは種類が異なることを特徴とする請求項７に記載の熱転写シート。
【請求項９】
前記染料層は、イエロー染料層、マゼンタ染料層及びシアン染料層を有し、
前記イエロー染料層、前記マゼンタ染料層及び前記シアン染料層は間隔を空けて順に設けられており、
前記第１の層は、前記イエロー染料層と前記マゼンタ染料層との間に位置する第１凹パターン又は第１凸パターンと、前記マゼンタ染料層と前記シアン染料層との間に位置する第２凹パターン又は第２凸パターンとを有し、
前記第１凹パターン又は第１凸パターンと、前記第２凹パターン又は第２凸パターンとは形状が異なることを特徴とする請求項８に記載の熱転写シート。
【請求項１０】
前記第１凹パターン又は第１凸パターンと、前記第２凹パターン又は第２凸パターンとは、凸部又は凹部の数が異なることを特徴とする請求項９に記載の熱転写シート。
【請求項１１】
前記シアン染料層に続いて保護層が間隔を空けて設けられており、
前記第１の層は、前記シアン染料層と前記保護層との間に位置する第３凹パターン又は第３凸パターンをさらに有し、
前記第１凹パターン又は第１凸パターン、前記第２凹パターン又は第２凸パターン、及び前記第３凹パターン又は第３凸パターンは、凹部又は凸部の数が互いに異なることを特徴とする請求項１０に記載の熱転写シート。
【請求項１２】
前記第２の層は、前記イエロー染料層と前記マゼンタ染料層との間に位置する第４凹パターン又は第４凸パターンと、前記マゼンタ染料層と前記シアン染料層との間に位置する第５凹パターン又は第５凸パターンと、前記シアン染料層と前記保護層との間に位置する第６凹パターン又は第６凸パターンとを有し、
前記第４凹パターン又は第４凸パターン、前記第５凹パターン又は第５凸パターン、及び前記第６凹パターン又は第６凸パターンは、凹部又は凸部の数が互いに異なることを特徴とする請求項１１に記載の熱転写シート。
【発明の詳細な説明】
【技術分野】
【０００１】
本発明は、熱転写印画装置及び熱転写シートに関する。
【背景技術】
【０００２】
熱転写印画装置にあっては、昇華転写用染料を記録材とし、これをポリエステルシート等の基材上に適当なバインダーで担持させた染料層を有する熱転写シート（昇華熱転写シート）から、昇華染料で染着可能な被転写材、例えば、紙やプラスチックシート等に染料受容層を形成した熱転写受像シート上に昇華染料を熱転写し、各種のフルカラー画像を形成する。
【０００３】
近年、熱転写記録技術の進歩により、熱転写シートは、その種類が多岐にわたるようになっており、これらの多種類の熱転写シートを一機種の熱転写プリンタで使用する場合が増えている。所望の印画性能や耐久性を得るために、熱転写シートの品種を識別し、品種に応じて熱転写シートの加熱エネルギーを制御する必要がある。
【０００４】
特許文献１には、イエロー染料層内に、プリンタで検出可能な光学密度の差異を生じるバイナリパターンを形成した染料シートが提案されている。バイナリパターンは、イエロー染料層の厚みを変えることで形成される。このような染料シートにおいてバイナリパターンを変えるためには、基材上に染料インクを塗布する際に使用する版（シリンダ）を変える必要があった。従って、バイナリパターンの種類と同数の版を準備する必要があった。
【先行技術文献】
【特許文献】
【０００５】
【特許文献１】特許第５３３４２６２号公報
【発明の概要】
【発明が解決しようとする課題】
【０００６】
本発明は、上記従来の実状に鑑みてなされたものであり、熱転写印画装置で識別情報が取得できると共に、製造時に使用する版の種類に対して多くの識別情報の表現を可能にする熱転写シートを提供することを課題とする。また、本発明は、装填された熱転写シートを識別して印画処理を行う熱転写印画装置を提供することを課題とする。
【課題を解決するための手段】
【０００７】
本発明による熱転写印画装置は、サーマルヘッド及びプラテンロールを有し、基材の一方の面に染料層が設けられた熱転写シートと印画紙とを重ね合わせて、前記サーマルヘッドと前記プラテンロールとの間を搬送させるとともに、前記サーマルヘッドが前記熱転写シートを加熱して染料を転写し、前記印画紙に画像を形成する熱転写印画装置であって、
前記熱転写シートに不可視光線を照射し、前記熱転写シートからの光を受光し、前記熱転写シートを構成する複数の層のうち、前記基材と前記染料層との間及び前記基材の他方の面の少なくともいずれか一方に位置し不可視光線吸収材料を含有する少なくとも１層に設けられた凹パターン又は凸パターンによる受光強度の変化を検出するセンサと、熱転写シートの品種と、品種毎の受光強度の変化パターンとを対応付けたテーブルを格納する記憶部と、前記テーブルを参照し、前記センサの検出結果から、前記供給部が供給する熱転写シートの品種を識別する識別部と、を備えるものである。
【０００８】
本発明の一態様による熱転写印画装置において、前記センサは、紫外線を照射する光源と、前記熱転写シートで反射する紫外線又は透過する紫外線を受光する受光部を有する。
【０００９】
本発明の一態様による熱転写印画装置において、前記センサは、前記熱転写シートで発せられる蛍光を受光する蛍光受光部を有する。
【００１０】
本発明の一態様による熱転写印画装置において、前記センサは、赤外線を照射する光源と、前記熱転写シートで反射する赤外線又は透過する赤外線を受光する受光部を有する。
【００１１】
本発明の一態様による熱転写印画装置において、前記熱転写シートには複数色の染料層が間隔を空けて設けられており、前記センサは、染料層の間の領域に不可視光線を照射し、受光強度の変化を検出する。
【００１２】
本発明の一態様による熱転写印画装置において、前記テーブルには、熱転写シートの品種毎の印画条件が対応付けられており、前記識別部が識別した熱転写シートの品種に応じた印画条件で印画処理を行う。
【００１３】
本発明による熱転写シートは、基材と、前記基材の一方の面に設けられた染料層と、前記基材と前記染料層との間及び前記基材の他方の面の少なくともいずれか一方に位置し、不可視光線吸収材料を含有する層とが積層され、前記不可視光線吸収材料を含有する層には、凹パターン又は前記不可視光線吸収材料を含有する層と同一の材料からなる凸パターンが設けられているものである。
【００１４】
本発明の一態様による熱転写シートにおいて、前記不可視光線吸収材料を含有する層は、第１の層及び第２の層を含み、前記第１の層に含有されている不可視光線吸収材料は、前記第２の層に含有されている不可視光線吸収材料とは種類が異なる。
【００１５】
本発明の一態様による熱転写シートにおいて、前記染料層は、イエロー染料層、マゼンタ染料層及びシアン染料層を有し、前記イエロー染料層、前記マゼンタ染料層及び前記シアン染料層は間隔を空けて順に設けられており、前記第１の層は、前記イエロー染料層と前記マゼンタ染料層との間に位置する第１凹パターン又は第１凸パターンと、前記マゼンタ染料層と前記シアン染料層との間に位置する第２凹パターン又は第２凸パターンとを有し、前記第１凹パターン又は第１凸パターンと、前記第２凹パターン又は第２凸パターンとは形状が異なる。
【００１６】
本発明の一態様による熱転写シートにおいて、前記第１凹パターン又は第１凸パターンと、前記第２凹パターン又は第２凸パターンとは、凸部又は凹部の数が異なる。
【００１７】
本発明の一態様による熱転写シートは、前記シアン染料層に続いて保護層が間隔を空けて設けられており、前記第１の層は、前記シアン染料層と前記保護層との間に位置する第３凹パターン又は第３凸パターンをさらに有し、前記第１凹パターン又は第１凸パターン、前記第２凹パターン又は第２凸パターン、及び前記第３凹パターン又は第３凸パターンは、凹部又は凸部の数が互いに異なる。
【００１８】
本発明の一態様による熱転写シートにおいて、前記第２の層は、前記イエロー染料層と前記マゼンタ染料層との間に位置する第４凹パターン又は第４凸パターンと、前記マゼンタ染料層と前記シアン染料層との間に位置する第５凹パターン又は第５凸パターンと、前記シアン染料層と前記保護層との間に位置する第６凹パターン又は第６凸パターンとを有し、前記第４凹パターン又は第４凸パターン、前記第５凹パターン又は第５凸パターン、及び前記第６凹パターン又は第６凸パターンは、凹部又は凸部の数が互いに異なる。
【発明の効果】
【００１９】
本発明によれば、熱転写印画装置で熱転写シートから識別情報を取得できると共に、熱転写シートの製造時に使用する版の種類に対して多くの識別情報を表現できる。
【図面の簡単な説明】
【００２０】
【図１】本発明の実施形態に係る熱転写シートの平面図である。
【図２】図１のII-II線断面図である。
【図３】紫外線強度と蛍光強度の変化を示すグラフである。
【図４】（ａ）は塗工液を塗布するシリンダの断面図であり、（ｂ）（ｃ）は凸パターンの形成位置の例を示す図である。
【図５】（ａ）（ｂ）はプライマー層及び背面層の凸パターンの例を示す図である。
【図６】同実施形態に係る熱転写印画装置の概略構成図である。
【図７】（ａ）（ｂ）はプライマー層及び背面層の凸パターン及び紫外線強度の変化を示す図である。
【図８】紫外線強度及び蛍光強度の変化と熱転写シートの品種との対応関係を示す表である。
【発明を実施するための形態】
【００２１】
以下、本発明の実施の形態を図面に基づいて説明する。
【００２２】
図１は熱転写シートの平面図であり、図２は図１のII-II線断面図である。熱転写シート１０は、基材１を有し、基材１の一方の面には染料プライマー層２と、染料層３とが順に積層されている。染料プライマー層２は、基材１と染料層３との密着性を向上させる。
【００２３】
染料層３は、イエロー染料層３Ｙ、マゼンタ染料層３Ｍおよびシアン染料層３Ｃを含む。また、染料プライマー層２上には保護層４が設けられていてもよい。イエロー染料層３Ｙ、マゼンタ染料層３Ｍ、シアン染料層３Ｃ及び保護層４が、所定間隔を空けて、熱転写シート１０の長手方向に沿って面順次に設けられている。
【００２４】
基材１の他方の面には背面プライマー層５と、背面層６とが順に積層されている。背面プライマー層５は、基材１と背面層６との密着性を向上させる。
【００２５】
染料プライマー層２、背面プライマー層５及び背面層６は、それぞれ、不可視光線吸収材料を含んでいる。不可視光線吸収材料は、紫外線吸収材料、赤外線吸収材料、蛍光増白材等である。
【００２６】
染料プライマー層２は、染料層３側に向かって凸となる凸パターン２ａ、２ｂ、２ｃを有する。凸パターン２ａ、２ｂ、２ｃは、熱転写シート１０の幅方向（短手方向）に延在する凸条である。凸パターン２ａ、２ｂ、２ｃは、それぞれ形状が異なる凸パターンであり、例えば、凸部の数や幅、厚み等が異なる。図２に示す例では、凸パターン２ａは１個の凸部（１本の凸条）を有し、凸パターン２ｂは２個の凸部（２本の凸条）を有し、凸パターン２ｃは３個の凸部（３本の凸条）を有する。
【００２７】
染料プライマー層２において、凸パターン２ａ、２ｂ、２ｃ部分は、その他の部分よりも膜厚が厚くなっている。そのため、染料プライマー層２に不可視光線を照射した場合、凸パターン２ａ、２ｂ、２ｃ部分からの光の強度は、その他の部分からの光の強度とは異なる。
【００２８】
背面プライマー層５は、背面層６側に向かって凸となる凸パターン５ａ、５ｂ、５ｃを有する。凸パターン５ａ、５ｂ、５ｃは、それぞれ形状が異なる凸パターンであり、例えば、凸部の数や幅が異なる。図２に示す例では、凸パターン５ａは１個の凸部を有し、凸パターン５ｂは２個の凸部を有し、凸パターン５ｃは３個の凸部を有する。
【００２９】
背面プライマー層５において、凸パターン５ａ、５ｂ、５ｃ部分は、その他の部分よりも膜厚が厚くなっている。そのため、背面プライマー層５に不可視光線を照射した場合、凸パターン５ａ、５ｂ、５ｃ部分からの光の強度は、その他の部分からの光の強度とは異なる。
【００３０】
背面層６は、基材１とは反対側に向かって凸となる凸パターン６ａ、６ｂ、６ｃを有する。凸パターン６ａ、６ｂ、６ｃは、それぞれ形状が異なる凸パターンであり、例えば、凸部の数や幅が異なる。図２に示す例では、凸パターン６ａは１個の凸部を有し、凸パターン６ｂは２個の凸部を有し、凸パターン６ｃは３個の凸部を有する。
【００３１】
背面層６において、凸パターン６ａ、６ｂ、６ｃ部分は、その他の部分よりも膜厚が厚くなっている。そのため、背面層６に不可視光線を照射した場合、凸パターン６ａ、６ｂ、６ｃ部分からの光の強度は、その他の部分からの光の強度とは異なる。
【００３２】
なお、実際には、背面層６の表面に、背面プライマー層５の表面の凹凸形状に応じた凹凸が現れ得るが、図示は省略している。
【００３３】
本実施形態では、熱転写シート１０に不可視光線を照射した際の熱転写シート１０からの光の強度変化のパターンから、熱転写シート１０の品種を識別する。
【００３４】
例えば、図２に示す例では、熱転写シート１０の平面方向におけるイエロー染料層３Ｙとマゼンタ染料層３Ｍとの間の領域に、イエロー染料層３Ｙ側から順に凸パターン６ｂ、凸パターン５ｃ、凸パターン２ａが設けられている。
【００３５】
ここで、染料プライマー層２及び背面層６が紫外線吸収剤を含有し、背面プライマー層５が蛍光増白剤を含有するものとする。このような熱転写シート１０を紫外線で走査すると、熱転写シート１０を透過又は反射する紫外線強度の変化、及び熱転写シート１０から発せられる蛍光強度の変化は図３に示すようなものとなる。すなわち、凸パターン６ｂ、凸パターン５ｃ及び凸パターン２ａの部分で紫外線強度が下がり、凸パターン５ｃの部分で蛍光強度が上がる。
【００３６】
熱転写シート１０を紫外線で走査した際に、紫外線強度及び蛍光強度の変化する位置を特定できる場合、蛍光強度が所定の閾値Ｔｈ１を上回る回数と、蛍光強度が閾値Ｔｈ１を上回る前後で紫外線強度が所定の閾値Ｔｈ２を下回る回数とを、熱転写シート１０の品種を表す識別情報として利用できる。例えば、図３に示す例において、凸パターン５ｃは凸部を３個有するため、蛍光強度が閾値Ｔｈ１を上回る回数は３回となる。
【００３７】
凸パターン６ｂは凸部を２個有するため、紫外線強度が閾値Ｔｈ２を下回る回数は２回となる。また、凸パターン２ａは凸部を１個有するため、紫外線強度が閾値Ｔｈ２を下回る回数は１回となる。従って、イエロー染料層３Ｙ側から順に、蛍光強度が閾値Ｔｈ１を上回る前に紫外線強度が閾値Ｔｈ２を下回る回数、蛍光強度が閾値Ｔｈ１を上回る回数、蛍光強度が閾値Ｔｈ１を上回った後に紫外線強度が閾値Ｔｈ２を下回る回数を並べると「２・３・１」となる。
【００３８】
凸パターン２ａ、２ｂ、２ｃを含む染料プライマー層２は、図４（ａ）に示すような、表面に凹部２０ａ、２０ｂ及び２０ｃが設けられた版（シリンダ）２０を用いて塗工液を塗布することで形成できる。凹部２０ａ、２０ｂ、２０ｃが、それぞれ凸パターン２ａ、２ｂ、２ｃに対応する。版２０の回転角度を調整することで、図４（ｂ）（ｃ）に示すように、凸パターン２ａ、２ｂ、２ｃの形成位置を変えることができる。
【００３９】
凸パターン５ａ、５ｂ、５ｃを含む背面プライマー層５や、凸パターン６ａ、６ｂ、６ｃを含む背面層６も、それぞれ同様の１つの版で形成できる。また、版の回転角度を調整することで、凸パターン５ａ、５ｂ、５ｃ、凸パターン６ａ、６ｂ、６ｃの形成位置が変えられる。
【００４０】
凸パターン２ａ、２ｂ、２ｃ、凸パターン５ａ、５ｂ、５ｃ、凸パターン６ａ、６ｂ、６ｃの相対的な位置関係を変えることで、異なる識別情報を表現できる。
【００４１】
例えば、図５（ａ）に示す例では、イエロー染料層３Ｙとマゼンタ染料層３Ｍとの間の領域に、イエロー染料層３Ｙ側から順に凸パターン６ｂ、凸パターン５ｂ、凸パターン２ｂが設けられている。このような熱転写シート１０を紫外線で走査し、イエロー染料層３Ｙ側から順に、蛍光強度が閾値Ｔｈ１を上回る前に紫外線強度が閾値Ｔｈ２を下回る回数、蛍光強度が閾値Ｔｈ１を上回る回数、蛍光強度が閾値Ｔｈ１を上回った後に紫外線強度が閾値Ｔｈ２を下回る回数を並べると「２・２・２」となる。
【００４２】
図示を省略するが、図５（ａ）に示す構成の場合、マゼンタ染料層３Ｍとシアン染料層３Ｃとの間の領域に、凸パターン６ｃ、５ｃ及び２ｃが配置される。シアン染料層３Ｃと保護層４との間の領域に、凸パターン６ａ、５ａ及び２ａが配置される。
【００４３】
図５（ｂ）に示す例では、イエロー染料層３Ｙとマゼンタ染料層３Ｍとの間の領域に、イエロー染料層３Ｙ側から順に凸パターン６ｃ、凸パターン５ａ、凸パターン２ａが設けられている。このような熱転写シート１０を紫外線で走査し、イエロー染料層３Ｙ側から順に、蛍光強度が閾値Ｔｈ１を上回る前に紫外線強度が閾値Ｔｈ２を下回る回数、蛍光強度が閾値Ｔｈ１を上回る回数、蛍光強度が閾値Ｔｈ１を上回った後に紫外線強度が閾値Ｔｈ２を下回る回数を並べると「３・１・１」となる。
【００４４】
図示を省略するが、図５（ｂ）に示す構成の場合、マゼンタ染料層３Ｍとシアン染料層３Ｃとの間の領域に、凸パターン６ａ、５ｂ及び２ｂが配置される。シアン染料層３Ｃと保護層４との間の領域に、凸パターン６ｂ、５ｃ及び２ｃが配置される。
【００４５】
本実施形態では、図４（ａ）に示すような版を使用し、その回転角度を調整することで、凸パターン２ａ、２ｂ、２ｃ、凸パターン５ａ、５ｂ、５ｃ、凸パターン６ａ、６ｂ、６ｃの相対的な位置関係を変え、識別情報の異なる熱転写シート１０を製造できる。染料プライマー層２、背面プライマー層５、背面層６の各々について、同一の版を使用できるため、識別情報の種類に応じた数の版を準備する必要がない。
【００４６】
図５は、本発明の実施の形態に係る熱転写印画装置の概略構成図である。熱転写印画装置は、熱転写シート１０を用いて、印画シート１０７（印画紙、受像紙）上にイエロー染料、マゼンタ染料、シアン染料を昇華転写させて画像を印画し、画像上に保護層を転写するサーマルヘッド１０１を備えている。
【００４７】
サーマルヘッド１０１の下流側に、熱転写シート１０を巻き付けて形成された供給部１０３が設けられ、サーマルヘッド１０１の上流側に回収部１０４が設けられている。供給部１０３から繰り出された熱転写シート１０は、サーマルヘッド１０１を通って、回収部１０４に回収されるようになっている。
【００４８】
サーマルヘッド１０１の下方側には回転自在なプラテンロール１０２が設けられている。サーマルヘッド１０１及びプラテンロール１０２を含む印画部１４０は、印画シート１０７及び熱転写シート１０を挟み込み、熱転写シート１０を加熱して印画シート１０７上に染料を熱転写することで画像を形成する。
【００４９】
サーマルヘッド１０１の上流側には、印画シート０７の搬送を行うための回転駆動自在なキャプスタンローラ１０９ａと、キャプスタンローラ１０９ａに印画シート１０７を圧着させるためのピンチローラ１０９ｂが設けられている。
【００５０】
印画シート１０７は、印画紙ロール１０６に巻き付けられており、印画紙ロール１０６から繰り出される。印画シート１０７には公知のものを使用できる。印画紙ロール１０６、キャプスタンローラ１０９ａ、及びピンチローラ１０９ｂを含む駆動部１３０により印画シート１０７の繰り出し（前方側への搬送）や巻取り（後方側への搬送）が行われる。
【００５１】
印画部１４０で画像形成された印画シート１０７は、下流側でカッター１０８によりプリント枚葉１０７ａとして切り出される。プリント枚葉１０７ａは、図示を省略する排出口から排出される。
【００５２】
供給部１０３と印画部１４０との間には、熱転写シート１０に光を照射し、反射光や透過光等の強度を測定するセンサ１２０が設けられている。センサ１２０は、染料プライマー層２、背面プライマー層５及び背面層６に含まれる不可視光線吸収材料に対応するものであり、例えば、上記の例のように、染料プライマー層２及び背面層６が紫外線吸収剤を含み、背面プライマー層５が蛍光増白剤を含む場合、紫外線を照射する光源、熱転写シート１０から反射される紫外線又は熱転写シート１０を透過する紫外線を受光する紫外線受光部、及び熱転写シート１０から発せられる蛍光を受光する蛍光受光部を有する。
【００５３】
染料プライマー層２、背面プライマー層５又は背面層６に赤外線吸収材料が含まれている場合、センサ１２０は、赤外線を照射する光源と、熱転写シート１０から反射される赤外線又は熱転写シート１０を透過する赤外線を受光する赤外線受光部を有する。また、センサ１２０は、イエロー染料層３Ｙやマゼンタ染料層３Ｍの位置を検知するカラーセンサを含む。
【００５４】
制御装置１１０は、熱転写印画装置の各部の駆動を制御し、熱転写シート１０の識別処理や、印画処理を行う。制御装置１１０は、ＣＰＵ（中央演算処理装置）や、フラッシュメモリ、ＲＯＭ（Ｒｅａｄ−ｏｎｌｙ  Ｍｅｍｏｒｙ）、ＲＡＭ（Ｒａｎｄｏｍ  Ａｃｃｅｓｓ  Ｍｅｍｏｒｙ）等からなる記憶部１１２を有したコンピュータである。記憶部１１２は、制御プログラム及びテーブルＴを格納する。ＣＰＵが制御プログラムを実行することで、識別部１１１が実現される。
【００５５】
テーブルＴには、熱転写シート１０の品種と、熱転写シート１０に不可視光線を照射した場合にセンサ１２０で受光する受光強度の変化パターンとが対応付けて記録されている。例えば、テーブルＴには、イエロー染料層３Ｙ側から順に、蛍光強度が閾値Ｔｈ１を上回る前に紫外線強度が閾値Ｔｈ２を下回る回数、蛍光強度が閾値Ｔｈ１を上回る回数、蛍光強度が閾値Ｔｈ１を上回った後に紫外線強度が閾値Ｔｈ２を下回る回数を並べたパターンと、熱転写シート１０の品種とが対応付けて記録される。
【００５６】
識別部１１１は、センサ１２０による測定結果から受光強度の変化パターンを求め、テーブルＴを参照し、熱転写印画装置に装填されている熱転写シート１０の品種を識別する。
【００５７】
例えば、識別部１１１は、蛍光受光部の測定結果と閾値Ｔｈ１とを比較し、蛍光強度が閾値Ｔｈ１を上回る位置（タイミング）及び回数をカウントする。また、識別部１１１は、紫外線受光部の測定結果と閾値Ｔｈ２とを比較し、紫外線強度が閾値Ｔｈ２を下回る位置（タイミング）及び回数をカウントする。識別部１１１は、テーブルＴを参照し、イエロー染料層３Ｙ側から順に、蛍光強度が閾値Ｔｈ１を上回る前に紫外線強度が閾値Ｔｈ２を下回った回数のカウント値、蛍光強度が閾値Ｔｈ１を上回った回数のカウント値、蛍光強度が閾値Ｔｈ１を上回った後に紫外線強度が閾値Ｔｈ２を下回った回数のカウント値を並べたパターンから、熱転写印画装置に装填されている熱転写シート１０の品種を識別する。
【００５８】
テーブルＴには、熱転写シート１０の品種毎に、好適な印画条件（印画速度、印画時の印加エネルギー）や、使用すべき印画シート１０７の品種等を対応付けて記録してもよい。制御装置１１０は、識別した熱転写シート１０の品種に応じた印画条件に基づいて、印画処理を制御する。制御装置１１０は、熱転写印画装置に装填されている印画シート１０７の品種が、識別した熱転写シート１０の品種に対応するものでない場合、警告音や警告表示を出力したり、印画処理を中止したりしてもよい。
【００５９】
このように、熱転写シート１０の染料プライマー層２、背面プライマー層５及び背面層６に不可視光線吸収材料を含有させると共に複数の凸パターンを設け、不可視光線を照射した際に測定される光強度の変化から、熱転写シート１０の品種が識別可能となる。また、識別情報を変える場合は、凸パターンの位置関係を変えればよく、染料プライマー層２、背面プライマー層５及び背面層６を形成する際に使用する版（シリンダ）はそれぞれ同一のものでよい。
【００６０】
以下に、熱転写シート１０を構成する各層の材料について説明する。
【００６１】
＜基材＞
基材１としては、従来公知のある程度の耐熱性と強度を有するものであればいずれのものでも良く、例えば、０．５μｍ以上５０μｍ以下好ましくは３μｍ以上１０μｍ以下程度の厚さのポリエチレンテレフタレートフィルム、１，４−ポリシクロヘキシレンジメチレンテレフタレートフィルム、ポリエチレンナフタレートフィルム、ポリフェニレンサルファイドフィルム、ポリスチレンフィルム、ポリプロピレンフィルム、ポリサルホンフィルム、アラミドフィルム、ポリカーボネートフィルム、ポリビニルアルコールフィルム、セロハン、酢酸セルロース等のセルロース誘導体、ポリエチレンフィルム、ポリ塩化ビニルフィルム、ナイロンフィルム、ポリイミドフィルム、アイオノマーフィルム等の樹脂フィルムの他に、コンデンサー紙、パラフィン紙等の紙類や不織布等、又は紙や不織布と樹脂との複合体であってもよい。
【００６２】
＜染料層＞
染料層３は、昇華性染料を含む層として形成する。
【００６３】
染料としては、従来、公知の熱転写シートに使用されている染料は、いずれも本発明に使用可能であり、特に限定されない。これらの染料としてはジアリールメタン系、トリアリールメタン系、チアゾール系、メロシアニン等のメチン系、インドアニリン系、アセトフェノンアゾメチン，ピラゾロアゾメチン，イミダゾルアゾメチン，ピリドンアゾメチン等のアゾメチン系、キサンテン系、オキサジン系、ジシアノスチレン，トリシアノスチレンに代表されるシアノメチレン系、チアジン系、アジン系、アクリジン系、ベンゼンアゾ系、ピリドンアゾ，チオフェンアゾ，イソチアゾールアゾ，ピロールアゾ，ピラゾールアゾ，イミダゾールアゾ，チアジアゾールアゾ，トリアゾールアゾ，ジスアゾ等のアゾ系、スピロピラン系、インドリノスピロピラン系、フルオラン系、ローダミンラクタム系、ナフトキノン系、アントラキノン系、キノフタロン系等があげられる。
【００６４】
染料層塗工液は、バインダーに上記の染料を必須成分として、さらに必要に応じて顔料、導電剤の少なくとも１つを添加できる。上記の染料を担持するためのバインダー樹脂としては、エチルセルロース、ヒドロキシエチルセルロース、ヒドロキシプロピルセルロース、メチルセルロース，酢酸セルロース、酢酸・酪酸セルロース等のセルロース樹脂、ポリ酢酸ビニル、ポリビニルアルコール、ポリビニルブチラール、ポリビニルアセトアセタール、ポリビニルピロリドン等のビニル系樹脂、ポリ（メタ）アクリレート、ポリ（メタ）アクリルアミド等のアクリル系樹脂、ポリウレタン系樹脂、ポリアミド系樹脂、ポリエステル系樹脂等があげられるが、これらの中ではセルロース系、ポリウレタン系、ビニル系、アクリル系およびポリエステル系の樹脂が耐熱性、染料移行性などの点で好ましく用いられる。
【００６５】
染料層３は、染料プライマー層２を介して基材１の一方の面に、これらの染料及びバインダー樹脂、必要に応じて顔料、導電剤の少なくとも１つを添加して、トルエン、メチルエチルケトン、エタノール、イソプロピルアルコール、シクロヘキサノン、ＤＭＦ等の適当な有機溶剤に溶解したり、あるいは有機溶剤や水等に分散させたりして、例えば、グラビア印刷法、スクリーン印刷法、リバースロールコーティング印刷法等の手段により塗工および乾燥することにより形成できる。染料層３の厚みは、乾燥後の厚みで０．２μｍ以上６．０μｍ以下、好ましくは０．２μｍ以上３．０μｍ以下程度である。
【００６６】
＜染料プライマー層＞
染料プライマー層２は、基材１と染料層３の両方に良好な接着性を有するバインダーに、蛍光増白剤、紫外線吸収材料又は赤外線吸収材料等の不可視光線吸収材料を添加したものを用いる。上記バインダーとしては、例えば、ポリエステル系樹脂、ポリウレタン系樹脂、ポリアクリル系樹脂、ポリビニルホルマール系樹脂、エポキシ系樹脂、ポリビニルブチラール系樹脂、ポリアミド系樹脂、ポリエーテル系樹脂、ポリスチレン系樹脂、スチレン−アクリル共重合体系樹脂等が挙げられる。
【００６７】
蛍光増白剤としては、例えば、フルオレセイン系化合物、チオフラビン系化合物、エオシン系化合物、ローダミン系化合物、クマリン系化合物、イミダゾール系化合物、オキサゾール系化合物、トリアゾール系化合物、カルバゾール系化合物、ピリジン系化合物、イミダゾロン系化合物、ナフタル酸誘導体、スチルベンジスルホン酸誘導体、スチルベンテトラスルホン酸誘導体、スチルベンヘキサスルホン酸誘導体等を用いることができる。
【００６８】
紫外線吸収材料としては、例えば、ベンゾトリアゾール系化合物、トリアジン系化合物、ベンゾフェノン系化合物、ベンゾエート系化合物等の有機系紫外線吸収材料や、酸化チタン、酸化亜鉛、酸化セリウム、酸化鉄、硫酸バリウム等の無機系紫外線吸収材料等が挙げられる。特に、ベンゾトリアゾール系化合物を用いることが好ましい。
【００６９】
赤外線吸収材料としては、例えば、ジイモニウム系化合物、アミニウム系化合物、フタロシアニン系化合物、ジチオール系有機金属錯体、シアニン系化合物、アゾ系化合物、ポリメチン系化合物、キノン系化合物、ジフェニルメタン系化合物、トリフェニルメタン系化合物、オキソール系化合物等が挙げられる。
【００７０】
染料プライマー層２を形成する方法としては、上記の材料を塗工適性に合うように選択したアセトン、メチルエチルケトン、トルエン、キシレン等の溶剤又は、水に溶解、或いは分散させて塗工液を作成し、この塗工液をグラビアコーター等の慣用の塗工手段で塗布、乾燥及び固化させて成膜する方法が挙げられる。染料プライマー層２の厚さは凸部以外の領域で０．０２μｍ以上０．２μｍ以下であることが好ましく、凸部における染料プライマー層２の厚さはその１．５倍以上２．０倍以下であることが好ましい。
【００７１】
＜保護層＞
保護層４には、従来から保護層形成用樹脂として知られている各種の樹脂を用いることができる。保護層形成用樹脂としては、例えば、ポリエステル樹脂、ポリスチレン樹脂、アクリル樹脂、ポリウレタン樹脂、アクリルウレタン樹脂、塩化ビニル−酢酸ビニル共重合体、これらの各樹脂をシリコーン変性させた樹脂、これらの各樹脂の混合物等を例示できる。保護層４は、例えばグラビア印刷法により形成される。保護層４の厚さは、乾燥後の厚みで０．１μｍ以上２．０μｍ以下であることが好ましい。保護層４を剥離層やヒートシール層を含む複数の層の積層体としてもよい。
【００７２】
＜背面層＞
背面層６には、バインダー樹脂に上記の不可視光線吸収材料を添加したものを用いる。背面層６を構成するバインダー樹脂について特に限定はなく、従来公知の熱可塑性樹脂等を適宜選択して形成できる。熱可塑性樹脂としては、例えば、ポリエステル系樹脂、ポリアクリル酸エステル系樹脂、ポリ酢酸ビニル系樹脂、スチレンアクリレート系樹脂、ポリウレタン系樹脂、ポリエチレン系樹脂、ポリプロピレン系樹脂等のポリオレフィン系樹脂、ポリスチレン系樹脂、ポリ塩化ビニル系樹脂、ポリエーテル系樹脂、ポリアミド系樹脂、ポリイミド系樹脂、ポリアミドイミド系樹脂、ポリカーボネート系樹脂、ポリアクリルアミド樹脂、ポリビニルクロリド樹脂、ポリビニルブチラール樹脂、ポリビニルアセトアセタール樹脂等のポリビニルアセタール樹脂等の熱可塑性樹脂、これらのシリコーン変性物等が挙げられる。
【００７３】
また、背面層６は、サーマルヘッド１０１との滑り性を向上させるための滑剤が含有されていることが好ましい。なお、滑剤は、背面層６における任意の構成である。滑剤としては、例えば、アルキルリン酸エステルの多価金属塩、リン酸エステル、脂肪酸エステル、金属石鹸、Ｗａｘ、グラファイトパウダー、フッ素変性グラフトポリマー、フッ素変性ブロックポリマー、シリコーンオイル、シリコーン変性グラフトポリマー、シリコーン変性ブロックポリマー等のシリコーン重合体等を適宜選択して用いることができる。
【００７４】
背面層６は、バインダー樹脂、必要に応じて添加される滑剤等を適当な溶媒に溶解または分散した塗工液を、グラビア印刷法、グラビア版を用いたリバースロールコーティング法等の公知の塗工手段を用いて塗工し、乾燥することで形成できる。塗工液の調製に用いられる溶媒としては、例えば、水、トルエン、アセトン、メチルエチルケトン、メチルイソブチルケトン、シクロヘキサノン、メタノール、エタノール、イソプロピルアルコール、ジメチルホルムアミド、酢酸エチル、酢酸ブチル、エチレングリコール、ジメチルアセトアミド、ジメチルスルホキシド等を挙げることができる。
【００７５】
背面層６の厚さは凸部以外の領域で０．１μｍ以上１．０μｍ以下であることが好ましく、凸部における背面層６の厚さはその１．５倍以上２．０倍以下であることが好ましい。
【００７６】
＜背面プライマー層＞
背面プライマー層５には、例えばポリエステル樹脂、ポリウレタン樹脂、アクリル樹脂、ポリカーボネート樹脂、ポリアミド樹脂、ポリイミド樹脂、ポリアミドイミド樹脂、塩化ビニル／酢酸ビニル共重合体、ポリビニルブチラール樹脂、ポリビニルアルコール樹脂、ポリビニルピロリドン樹脂等に、上記の不可視光線吸収材料を添加したものを用いる。
【００７７】
背面プライマー層５は、上記の材料を適当な溶媒に溶解又は分散した塗工液を、グラビア印刷法、グラビア版を用いたリバースロールコーティング法等の公知の塗工手段を用いて塗工し、乾燥することで形成できる。背面プライマー層５の厚さは凸部以外の領域で０．０２μｍ以上２．０μｍ以下であることが好ましく、凸部における背面プライマー層５の厚さはその１．５倍以上２．０倍以下であることが好ましい。
【００７８】
熱転写シート１０の構成は図１，２に示すものに限定されず、さらに他の層が設けられていてもよい。
【００７９】
上記実施形態では、染料プライマー層２及び背面層６が紫外線吸収材料を含み、背面プライマー層５が蛍光増白剤を含む例について説明したが、各層に含まれる不可視光線吸収材料の種類の組み合わせはこれに限定されない。染料プライマー層２、背面プライマー層５及び背面層６に、それぞれ異なる不可視光線吸収材料が含まれていてもよい。
【００８０】
染料プライマー層２、背面プライマー層５及び背面層６の３層に対し、２種類の不可視光線吸収材料を含有させてもよい。この場合、染料プライマー層２に含まれる不可視光線吸収材料は、背面プライマー層５に含まれる不可視光線吸収材料及び背面層６に含まれる不可視光線吸収材料の少なくともいずれか一方とは種類が異なる。
【００８１】
染料プライマー層２、背面プライマー層５及び背面層６の３層に対し同一種類の不可視光線吸収材料を含有させ、熱転写シート１０に不可視光線を照射し、熱転写シート１０からの受光強度の変化の間隔によって、熱転写シート１０の品種を表現してもよい。染料プライマー層２、背面プライマー層５及び背面層６に設ける凸パターンの形状は同じでもよい。
【００８２】
例えば、図７（ａ）（ｂ）は、染料プライマー層２、背面プライマー層５及び背面層６に紫外線吸収材料を含有させ、各層に同一形状（凸部が１個の）の凸パターン２ｄ、５ｄ、６ｄを設けた構成を示している。図６（ａ）に示す構成と、図６（ｂ）に示す構成とで、熱転写シート１０の平面方向における凸パターン２ｄ、５ｄ、６ｄの間隔が異なっている。そのため、紫外線強度が変化する間隔も異なる。このような紫外線強度の変化の間隔（凸パターン２ｄ、５ｄ、６ｄの間隔）を、熱転写シート１０の品種を表す識別情報に用いることができる。
【００８３】
染料プライマー層２、背面プライマー層５及び背面層６の３層のうち２層に不可視光線吸収材料を含有させてもよい。不可視光線吸収材料が含まれない層には凸パターンを設ける必要はない。
【００８４】
熱転写シート１０から、染料プライマー層２又は背面プライマー層５が省略されていてもよい。
【００８５】
不可視光線吸収材料を含有する層が複数ある場合、これらの層は積層されていてもよいし、他の層を間に挟んでいてもよい。不可視光線吸収材料を含有する層は、基材１の一方の面にのみ設けられていてもよいし、両方の面に設けられていてもよい。
【００８６】
上記実施形態では、イエロー染料層３Ｙとマゼンタ染料層３Ｍとの間の領域における光強度の変化を測定する例について説明したが、測定箇所はこれに限定されず、マゼンタ染料層３Ｍとシアン染料層３Ｃとの間の領域でもよいし、シアン染料層３Ｃと保護層４との間の領域でもよい。
【００８７】
上記実施形態では、イエロー染料層３Ｙ、マゼンタ染料層３Ｍ、シアン染料層３Ｃ及び保護層４が間隔を空けて設けられる例について説明したが、間隔が空いていなくてもよい。この場合、シアン染料層３Ｃの下方に位置する凸パターンによる光の強度変化を測定することが好ましい。
【００８８】
上記実施形態では、イエロー染料層３Ｙ側から順に、蛍光強度が閾値Ｔｈ１を上回る前に紫外線強度が閾値Ｔｈ２を下回る回数、蛍光強度が閾値Ｔｈ１を上回る回数、蛍光強度が閾値Ｔｈ１を上回った後に紫外線強度が閾値Ｔｈ２を下回る回数を並べたパターンで熱転写シート１０の品種を識別していたが、イエロー染料層３Ｙとマゼンタ染料層３Ｍとの間で、蛍光強度が閾値Ｔｈ１を上回る回数及び紫外線強度が閾値Ｔｈ２を下回る回数の組み合わせから、熱転写シート１０の品種を識別するようにしてもよい。
【００８９】
例えば、図２に示す例では、凸パターン２ａ、２ｂ、２ｃの凸部がそれぞれ１個、２個、３個となっている。同様に、凸パターン５ａ、５ｂ、５ｃ、凸パターン６ａ、６ｂ、６ｃもそれぞれ凸部の数が１個、２個、３個となっている。従って、イエロー染料層３Ｙとマゼンタ染料層３Ｍとの間の凸パターン（凸部）の配置方法は、３×３×３＝２７通りある。
【００９０】
これら２７通りについて、蛍光強度が閾値Ｔｈ１を上回る回数及び紫外線強度が閾値Ｔｈ２を下回る回数の組み合わせは、図８に示すように１５通り存在する。従って、蛍光強度が閾値Ｔｈ１を上回る回数及び紫外線強度が閾値Ｔｈ２を下回る回数の組み合わせ毎に品種を割り当てると、Ａ〜Ｏの１５種類の品種を識別することが可能となる。
【００９１】
上記実施形態では、不可視光線吸収材料を含有する層に凸パターンを設けていたが、凹パターンを設けてもよい。凹パターンによっても、センサによる受光強度が変化し、識別情報を表現できる。
【００９２】
凸パターン（又は凹パターン）を設ける層は、染料プライマー層２、背面プライマー層５、背面層６等の熱転写シートの長手方向の全面（先端部、末端部を除く）に連続的に形成される層のうち、いずれか１層でもよい。例えば、染料プライマー層２に、染料プライマー層２と同一材料からなる凸パターンを設ける場合、イエロー染料層３Ｙとマゼンタ染料層３Ｍとの間の領域に凸パターン２ａ、２ｂ、２ｃのいずれが配置されるかによって、３種類の品種を識別することが可能となる。
【００９３】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【符号の説明】
【００９４】
１  基材
２  染料プライマー層
３  染料層
４  保護層
５  背面プライマー層
６  背面層
１０  熱転写シート
１０１  サーマルヘッド
１０２  プラテンロール
１０３  供給部
１０４  回収部
１０７  印画シート
１１０  制御装置
１１１  識別部
１１２  記憶部
１２０  センサ
１４０  印画部
【図１】
2019126980.tif 000003
【図２】
2019126980.tif 000004
【図３】
2019126980.tif 000005
【図４】
2019126980.tif 000006
【図５】
2019126980.tif 000007
【図６】
2019126980.tif 000008
【図７】
2019126980.tif 000009
【図８】
2019126980.tif 000010